(57)【要約】【課題】タッチ操作時の誤検出を防止することができる入力装置、車載装置、表示システムおよび入力装置の制御方法を提供すること。【解決手段】実施形態に係る入力装置は、操作受付部と、検出部と、信号制御部とを備える。操作受付部は、操作面を有し、操作面に対するタッチ操作を受け付ける。検出部は、操作受付部に対して所定のパルス数を有する検出信号を一定周期で出力し、当該パルス信号の変化を読み取ることでタッチ操作を検出する。信号制御部は、検出部によってタッチ操作が検出された場合に、当該タッチ操作以降に出力される検出信号のパルス数を増やす制御を行う。【選択図】図２
2018063650.tif 000002
【特許請求の範囲】
【請求項１】
操作面を有し、前記操作面に対するタッチ操作を受け付ける操作受付部と、
前記操作受付部に対して所定のパルス数を有する検出信号を一定周期で出力し、当該検出信号の変化を読み取ることで前記タッチ操作を検出する検出部と、
前記検出部によって前記タッチ操作が検出された場合に、当該タッチ操作以降に出力される前記検出信号の前記パルス数を増やす制御を行う信号制御部と
を備えることを特徴とする入力装置。
【請求項２】
前記信号制御部は、
前記検出部によって検出された前記タッチ操作が解除された場合に、当該タッチ操作が解除されてから所定期間が経過するまでは前記検出信号の前記パルス数を増やしたまま維持する制御を行うこと
を特徴とする請求項１に記載の入力装置。
【請求項３】
前記タッチ操作が検出された場合に、前記パルス数を増やすパラメータである第１パラメータと、前記タッチ操作が検出される以前の前記パルス数を維持するパラメータである第２パラメータとを記憶する記憶部をさらに備え、
前記信号制御部は、
前記第１パラメータおよび前記第２パラメータのうちいずれか一方に基づいて前記検出信号の前記パルス数を制御すること
を特徴とする請求項１または２に記載の入力装置。
【請求項４】
前記操作受付部は、
前記第１パラメータおよび前記第２パラメータのうちいずれか一方を選択する選択操作をユーザから受け付け、
前記信号制御部は、
前記操作受付部が受け付けた前記選択操作に応じたパラメータに基づいて前記検出信号の前記パルス数を制御すること
を特徴とする請求項３に記載の入力装置。
【請求項５】
前記タッチ操作中に発生するノイズを検出するノイズ検出部をさらに備え、
前記信号制御部は、
前記ノイズ検出部によって前記ノイズが検出された場合には、前記第１パラメータに基づいて前記検出信号の前記パルス数を制御すること
を特徴とする請求項３に記載の入力装置。
【請求項６】
前記ノイズ検出部は、
前記ノイズの強度を検出し、
前記信号制御部は、
前記ノイズ検出部によって検出された前記ノイズの強度に基づいて前記検出信号の前記パルス数を変動させること
を特徴とする請求項５に記載の入力装置。
【請求項７】
操作面を有し、前記操作面に対するタッチ操作を受け付ける操作受付部と、
前記操作受付部に対して所定のパルス数を有する検出信号を一定周期で出力し、当該検出信号の変化を読み取ることで前記タッチ操作を検出する検出部と、
前記検出部によって前記タッチ操作が検出された場合に、当該タッチ操作以降に出力される前記検出信号の前記パルス数を増やす制御を行う信号制御部と、
を有する入力装置を備えること
を特徴とする車載装置。
【請求項８】
操作面を有し、前記操作面に対するタッチ操作を受け付ける操作受付部と、
前記操作受付部に対して所定のパルス数を有する検出信号を一定周期で出力し、当該検出信号の変化を読み取ることで前記タッチ操作を検出する検出部と、
前記検出部によって前記タッチ操作が検出された場合に、当該タッチ操作以降に出力される前記検出信号の前記パルス数を増やす制御を行う信号制御部と、を有する入力装置と、
前記入力装置から出力される信号に基づいて電子機器を制御する制御装置と、
前記入力装置への前記タッチ操作に応じた情報を表示するディスプレイと、
を備えることを特徴とする表示システム。
【請求項９】
操作面を有し、前記操作面に対するタッチ操作を受け付ける操作受付工程と、
前記操作受付工程に対して所定のパルス数を有する検出信号を一定周期で出力し、当該検出信号の変化を読み取ることで前記タッチ操作を検出する検出工程と、
前記検出工程によって前記タッチ操作が検出された場合に、当該タッチ操作以降に出力される前記検出信号の前記パルス数を増やす制御を行う信号制御工程と
を含むことを特徴とする入力装置の制御方法。
【発明の詳細な説明】
【技術分野】
【０００１】
本発明は、入力装置、車載装置、表示システムおよび入力装置の制御方法に関する。
【背景技術】
【０００２】
従来、例えば人の指先とガラス等の操作面との間での静電容量の変化を捉えることで操作面におけるタッチ位置を検出する、いわゆる静電容量方式のタッチパネルを有する入力装置が知られている。
【０００３】
かかる入力装置は、操作面に対して一定のパルス数を有する検出信号を一定周期で出力し、出力した検出信号の変化を読み取ることでタッチ操作を検出する（たとえば、特許文献１参照）。
【先行技術文献】
【特許文献】
【０００４】
【特許文献１】特開２００７−１０６４５号公報
【発明の概要】
【発明が解決しようとする課題】
【０００５】
しかしながら、従来の技術では、入力装置が配置される場所によっては、タッチ操作したユーザのグランド電位と、入力装置のグランド電位との電位差に起因するノイズが発生することがある。そして、かかるノイズの影響で、ユーザがタッチした位置とは別の位置をタッチ位置として誤検出するおそれがあった。
【０００６】
本発明は、上記に鑑みてなされたものであって、タッチ操作時の誤検出を防止することができる入力装置、車載装置、表示システムおよび入力装置の制御方法を提供することを目的とする。
【課題を解決するための手段】
【０００７】
上述した課題を解決し、目的を達成するために、本発明に係る入力装置は、操作受付部と、検出部と、信号制御部とを備える。操作受付部は、操作面を有し、前記操作面に対するタッチ操作を受け付ける。検出部は、前記操作受付部に対して所定のパルス数を有する検出信号を一定周期で出力し、当該検出信号の変化を読み取ることで前記タッチ操作を検出する。信号制御部は、前記検出部によって前記タッチ操作が検出された場合に、当該タッチ操作以降に出力される前記検出信号の前記パルス数を増やす制御を行う。
【発明の効果】
【０００８】
本発明によれば、タッチ操作時の誤検出を防止することができる。
【図面の簡単な説明】
【０００９】
【図１】図１は、実施形態に係る入力装置の制御方法の概要を示す図である。
【図２】図２は、実施形態に係るナビゲーション装置の構成を示すブロック図である。
【図３】図３は、実施形態に係るパラメータ情報の説明図である。
【図４】図４は、実施形態に係る信号制御部の処理内容を示す図である。
【図５】図５は、実施形態に係る入力装置が実行する検出処理の処理手順を示すフローチャートである。
【図６】図６は、実施形態の変形例に係るナビゲーション装置の構成を示すブロック図である。
【図７】図７は、実施形態の変形例に係る入力装置が実行する切替処理の処理手順を示すフローチャートである。
【図８】図８は、実施形態の変形例に係るパラメータ情報の説明図である。
【図９】図９は、実施形態の変形例に係る信号制御部の処理内容を示す図である。
【図１０】図１０は、実施形態の変形例に係る表示システムの構成を示す図である。
【発明を実施するための形態】
【００１０】
以下、添付図面を参照して、本願の開示する入力装置、車載装置、表示システムおよび入力装置の制御方法の実施形態を詳細に説明する。なお、この実施形態により本発明が限定されるものではない。
【００１１】
以下の実施形態では、静電容量方式のタッチパネルを有する入力装置を例に挙げて説明するが、タッチパネルは、静電容量方式に限定されるものではなく、例えば抵抗膜方式であってもよい。
【００１２】
また、以下では、車載装置であるナビゲーション装置に搭載される入力装置を例に挙げて説明するが、入力装置の搭載対象は、ナビゲーション装置に限定されるものではない。例えば、入力装置は、スマートフォンや、ＰＣ（Personal  Computer）、タブレット型端末や、携帯電話機、ＰＤＡ（Personal  Digital  Assistant）、ウェアラブルデバイス（Wearable  Device）等の車載装置以外の電子装置に搭載されてもよい。
【００１３】
まず、図１を用いて、実施形態に係る入力装置１（符号は図２参照）の制御方法の概要について説明する。図１は、実施形態に係る入力装置１の制御方法の概要を示す図である。
【００１４】
図１には、入力装置１によってタッチ操作が検出される場合の、タイミング図を示す。また、図１では、実施形態に係る入力装置１が所定のパルス数（図１では５パルスまたは１０パルス）を有する検出信号を一定周期Ｔで出力していることとする。
【００１５】
図１に示すように、時刻ｔ０において入力装置１の操作面に対してユーザがタッチ操作を開始したとする。入力装置１は、時刻ｔ０以降の最初に出力される検出信号の変化を読み取ることで、時刻ｔ１においてタッチ操作を検出する。例えば、入力装置１は、検出信号の全パルス（図１では５パルス）のうち所定比率以上のパルス数の電圧値が変化した場合、タッチ操作を検出する。
【００１６】
例えば、入力装置１は、５パルスを１セットとする検出信号を出力する場合に、計測された５パルスの電圧値が５パルスの出力値よりも低いときは、ユーザによるタッチ操作があったもの判定している。
【００１７】
実施形態に係る入力装置１は、タッチ操作を検出した場合に、タッチ操作以降に出力する検出信号のパルス数を増やす制御を行うものである。
【００１８】
ここで、従来の入力装置について説明する。従来の入力装置は、タッチ操作の有無に関わらず、常に一定のパルス数の検出信号を出力していた。つまり、従来は、タッチ操作を検出した場合であっても、タッチ操作以降に出力する検出信号のパルス数を変えることはなかった。
【００１９】
しかしながら、入力装置が配置される場所によっては、ユーザがタッチ操作を行う際に、タッチ操作に伴うノイズが発生することがある。このノイズは、タッチ操作したユーザのグランド電位と、入力装置のグランド電位との電位差に起因している。なお、このノイズは、予め実験等によって検出信号１回あたりのパルス数に相当する継続時間を有していることが確認されている。
【００２０】
このため、従来の入力装置は、発生したノイズの継続時間と、検出信号１回あたりのパルス数に相当する時間とが略同じであるため、かかるノイズをタッチ操作として検出してしまうおそれがあった。したがって、従来は、検出信号を出力させている時間以上にノイズが発生した場合には、計測された５パルスの電圧値が出力時の５パルスよりも低くなってしまい、ユーザ操作が無いにもかかわらずタッチ操作の誤判定がされてしまう。
【００２１】
そこで、実施形態に係る入力装置１では、タッチ操作中の検出信号１回あたりの時間を長くすることとした。具体的には、実施形態に係る入力装置１は、タッチ操作を検出した場合に、かかるタッチ操作以降に出力する検出信号のパルス数を増やす制御を行うこととした。
【００２２】
例えば、実施形態に係る入力装置１では、５パルスよりも増加させた１０パルスを１セットとする検出信号を出力することで、検出信号の出力時間がノイズの発生時間よりも長くなり、結果、１０パルスを計測した電圧値が１０パルスの出力値よりも低くなることが無い。つまり、ノイズ発生によるユーザ操作の誤判定を防止することが出来る。また、このように増加させるパルス数は誤判定を防止しつつユーザによるタッチ操作を判定可能な数を設定している。
【００２３】
また、実施形態に係る入力装置１は、検出したタッチ操作が解除されてから、所定期間は検出信号のパルス数を増やしたまま維持するが、かかる点については、図４を用いて後述する。
【００２４】
次に、図２を参照して、実施形態に係る入力装置１を備えたナビゲーション装置１０の構成について詳細に説明する。図２は、実施形態に係るナビゲーション装置１０の構成を示すブロック図である。
【００２５】
図２に示すように、ナビゲーション装置１０は、電源１００に接続される。また、ナビゲーション装置１０は、入力装置１と、ＡＶＮ部１１とを備える。なお、ナビゲーション装置１０は、直流電力によって駆動される。
【００２６】
電源１００は、ナビゲーション装置１０へ駆動電力を供給することで、入力装置１およびＡＶＮ部１１を駆動させる。なお、電源１００の種類は、直流電源および交流電源のいずれであってもよく、駆動電力がナビゲーション装置１０へ取り込まれる前に、変換器を介して直流へ変換されていれば足りる。
【００２７】
直流電源としては、例えば車両のバッテリ等がある。また、交流電源としては、例えば販売店等の施設内に設置された交流電源があり、ナビゲーション装置１０を例えばデモ機として展示する場合に使用される。
【００２８】
ＡＶＮ部１１は、入力装置１から出力される信号に基づいてオーディオ、ビジュアル（映像）、ナビゲーション等の各種機能を制御する。例えば、ＡＶＮ部１１は、ナビゲーション機能を制御する場合、例えばユーザからのタッチ操作によって指定された目的地までの経路の設定および案内を行う。
【００２９】
また、ＡＶＮ部１１は、オーディオ機能を制御する場合、例えばユーザからのタッチ操作によって指定された楽曲を車室内に流したり、ユーザのタッチ操作に応じて音量等を調整したりする。また、ＡＶＮ部１１は、映像機能を制御する場合、例えばユーザからのタッチ操作によって指定されたテレビ放送局の電波を受信して音声および映像を出力する。
【００３０】
入力装置１は、制御部２と、記憶部３とを備える。制御部２は、操作受付部２１と、検出部２２と、信号制御部２３とを備える。記憶部３は、パラメータ情報３１を記憶する。
【００３１】
ここで、入力装置１は、たとえば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００３２】
コンピュータのＣＰＵは、たとえば、ＲＯＭに記憶されたプログラムを読み出して実行することによって、制御部２の操作受付部２１、検出部２２および信号制御部２３として機能する。
【００３３】
また、制御部２の操作受付部２１、検出部２２および信号制御部２３の少なくともいずれか一つまたは全部をＡＳＩＣ（Application  Specific  Integrated  Circuit）やＦＰＧＡ（Field  Programmable  Gate  Array）等のハードウェアで構成することもできる。
【００３４】
また、記憶部３は、たとえば、ＲＡＭやＨＤＤに対応する。ＲＡＭやＨＤＤは、パラメータ情報３１や各種プログラムの情報を記憶することができる。なお、入力装置１は、有線や無線のネットワークで接続された他のコンピュータや可搬型記録媒体を介して上記したプログラムや各種情報を取得することとしてもよい。
【００３５】
なお、上記したナビゲーション装置１０も、入力装置１と同様に、コンピュータや各種の回路にて構成することができる。また、図２では、入力装置１が備える制御部２および記憶部３は、ナビゲーション装置１０が備える図示しない制御部および記憶部とは別構成としたが、入力装置１およびナビゲーション装置１０は、共通の制御部および記憶部で構成されてもよい。
【００３６】
ここで、図３を用いて、記憶部３が記憶するパラメータ情報３１について説明する。図３は、実施形態に係るパラメータ情報３１の説明図である。図３に示すように、パラメータ情報３１は、「パラメータＩＤ」および「パルス数」といった項目を有する。
【００３７】
「パラメータＩＤ」は、パラメータ情報３１に含まれる各パラメータを識別する識別情報である。「パルス数」は、「非タッチ」時および「タッチ」時に出力される検出信号１回あたりのパルス数を示す。
【００３８】
「非タッチ」は、後述する検出部２２によってタッチ操作が検出されていない期間である非タッチ期間（図４参照）を示す。また、「タッチ」は、検出部２２によってタッチ操作が検出されている期間であるタッチ期間を示す。
【００３９】
図３に示すように、パラメータＩＤ「１」（以下、第１パラメータ）は、非タッチ期間に出力される検出信号のパルス数が、「５」であり、タッチ期間に出力される検出信号のパルス数が、「１０」であることを示す。つまり、第１パラメータは、タッチ操作が検出された場合に、検出信号のパルス数を増やすパラメータである。
【００４０】
また、パラメータＩＤ「２」（以下、第２パラメータ）は、非タッチ期間およびタッチ期間に出力される検出信号のパルス数が共に「５」であることを示す。つまり、第２パラメータは、タッチ操作が検出された場合に、タッチ操作が検出される以前の検出信号のパルス数を維持するパラメータである。
【００４１】
そして、後述する信号制御部２３は、第１パラメータおよび第２パラメータのうちいずれか一方に基づいて検出信号のパルス数を制御する。例えば、後述する操作受付部２１は、ユーザから第１パラメータおよび第２パラメータのうちいずれかを選択する選択操作を受け付ける。これにより、ユーザは、パラメータを手動で切り替えることができる。
【００４２】
例えば、ユーザは、ナビゲーション装置１０が販売店等に展示される場合に、第１パラメータを選択する。これは、販売店等の施設内にある電源１００は、ナビゲーション装置１０から比較的離れた位置にあるため、タッチ操作したユーザのグランド電位と、入力装置１のグランド電位との電位差に起因するノイズが発生しやすいためである。
【００４３】
また、ユーザは、ナビゲーション装置１０が車両に搭載される場合に、第２パラメータを選択する。これは、車両という狭い環境下では、タッチ操作したユーザのグランド電位と、入力装置１のグランド電位との電位差に起因するノイズが発生しにくいためである。
【００４４】
このように、予めパラメータを複数記憶しておくことで、例えばノイズが発生しやすい状況でのみ検出信号のパルス数を増やすことができるため、不要な電力消費を抑えることができる。
【００４５】
なお、第１パラメータおよび第２パラメータの切り替えを操作受付部２１への操作による手動切替としたが、第１パラメータおよび第２パラメータを自動で切り替えることとしてもよい。かかる点については、図６を用いて後述する。
【００４６】
制御部２は、操作面に対して検出信号を出力し、検出信号の変化を読み取ることでタッチ操作を検出するとともに、タッチ操作が検出された場合に、パラメータ情報３１を参照して検出信号のパルス数を制御する。
【００４７】
操作受付部２１は、ユーザから各種操作を受け付ける。操作受付部２１は、操作面を有し、かかる操作面に対するタッチ操作を受け付ける。操作面は、例えばガラスやアクリル等の絶縁性部材である。
【００４８】
また、操作受付部２１は、操作面に接続される第１電極および第２電極を備える。第１電極および第２電極は、例えば操作面に沿って互いに直交する向きに複数配列される。
【００４９】
また、操作受付部２１は、記憶部３に記憶されたパラメータ情報３１に含まれる第１パラメータおよび第２パラメータのうちいずれか一方を選択する選択操作をユーザから受け付ける。
【００５０】
例えば、操作受付部２１は、第１パラメータおよび第２パラメータを含む選択画面を表示する表示部を備え、表示した選択画面へのタッチ操作を選択操作として受け付ける。
【００５１】
なお、操作受付部２１は、選択画面を表示する表示部を備えることとしたが、これに限らず、例えば、パラメータを切り替えるための専用のスイッチを備えることとしてもよい。
【００５２】
検出部２２は、操作受付部２１に対して所定のパルス数の検出信号を一定周期で出力し、出力した検出信号の変化を読み取ることでタッチ操作を検出する。具体的には、検出部２２は、まず、操作受付部２１が備える第１電極へ所定の電圧値の検出信号を一定周期で印加する。そして、第１電極に印加された検出信号は、隣接する第２電極へ流れる。
【００５３】
検出部２２は、第２電極に流れた検出信号の各パルスの電圧値を計測するとともに、計測した各パルスの電圧値と出力時の検出信号の電圧値とを比較することで、タッチ操作を検出する。検出部２２は、検出信号１回あたりの全パルスの電圧値をそれぞれ計測し、比較する。
【００５４】
例えば、タッチ操作が行われている場合、検出部２２によって計測される検出信号の電圧値は、出力時の検出信号の電圧値より低くなる。これは、タッチ操作を行ったユーザが導電体となることによって、検出信号の一部がタッチ位置を介してユーザ側へ流れるためである。
【００５５】
つまり、検出部２２は、検出信号の全パルスの電圧値それぞれが所定値以上低下した場合に、タッチ操作を検出する。また、タッチ操作が行われていない場合、検出部２２によって計測される検出信号の電圧値は、出力時の検出信号の電圧値と略同じ値となる。
【００５６】
なお、検出部２２は、検出信号１回あたりの全パルスの電圧値が低下した場合に、タッチ操作を検出したが、全パルスが低下しなくともタッチ操作を検出してもよい。例えば、検出部２２は、上記した全パルスのうち、所定比率のパルス数の電圧値が低下した場合に、タッチ操作を検出することとしてもよい。
【００５７】
また、検出部２２は、全パルスの電圧値の平均値を用いてもよい。具体的には、検出部２２は、検出信号１回あたりの全パルスの電圧値の平均値が、出力時の検出信号の全パルスの平均値より所定値以上低下した場合に、タッチ操作を検出することとしてもよい。
【００５８】
また、検出部２２は、タッチ操作を検出した場合、検出信号の電圧値が変化した第２電極の位置をタッチ位置として検出する。タッチ位置は、例えば操作面に対するＸＹ座標系によって表される。また、検出部２２は、検出したタッチ位置の情報をＡＶＮ部１１へ出力する。
【００５９】
信号制御部２３は、記憶部３に記憶されたパラメータ情報３１に基づいて検出信号の出力を制御する。例えば、信号制御部２３は、検出部２２によってタッチ操作が検出された場合に、かかるタッチ操作以降に出力される検出信号のパルス数を増やす制御を行う。ここで、図４を用いて信号制御部２３の処理内容について具体的に説明する。
【００６０】
図４は、実施形態に係る信号制御部２３の処理内容を示す図である。図４には、タッチ操作における信号制御部２３の処理のタイミング図を示している。図４では、時刻ｔ０においてユーザが操作受付部２１の操作面にタッチ操作を行ったこととする。
【００６１】
ここで、図４に示すように、検出部２２は、所定のパルス数（図４では、５パルスまたは１０パルス）を有する検出信号を一定周期Ｔで出力している。なお、検出信号の各パルスの間隔は、例えば１００ｋＨｚ（０．０１ｍｓｅｃ）である。
【００６２】
また、一定周期Ｔは、例えば１０ｍｓｅｃである。これは、人の瞬間的なタッチ操作が、２０〜３０ｍｓｅｃ程度であることを考慮している。これにより、検出部２２は、ユーザがどのようなタッチ操作を行った場合であっても、確実にタッチ操作を検出することができる。
【００６３】
図４に示すように、検出部２２は、時刻ｔ１においてタッチ操作を検出する。なお、時刻ｔ０においてタッチ操作を行ってから、時刻ｔ１において実際にタッチ操作として検出するまでの時間のずれは、ごく短時間（１０ｍｓｅｃ以下）であるため、タッチ操作を行ったユーザが違和感を覚えることはない。
【００６４】
信号制御部２３は、例えばパラメータＩＤ「１」（図３参照）が選択されている場合、検出部２２によってタッチ操作が検出されると、かかるタッチ操作以降に出力される検出信号のパルス数を増やす制御を行う。具体的には、図４に示すように、信号制御部２３は、タッチ操作が検出された時刻ｔ１以降に出力される検出信号のパルス数を５回から１０回に増やすように検出部２２に指示する。
【００６５】
これにより、タッチ操作中に、ノイズが発生した場合であっても、ノイズをタッチ操作として検出しなくなる。つまり、タッチ操作時の誤検出を防止することができる。
【００６６】
なお、パラメータＩＤ「２」が選択されている場合（図示せず）、信号制御部２３は、検出部２２によってタッチ操作が検出されると、タッチ操作が検出される以前の検出信号のパルス数を維持する制御を行う。
【００６７】
つまり、パラメータＩＤ「２」が選択されている場合、タッチ操作が検出された場合に、タッチ操作以降に出力される検出信号のパルス数を増やさない。これにより、不要な電力消費を抑えることができる。
【００６８】
また、図４に示すように、信号制御部２３は、検出部２２によってタッチ操作が解除された場合に、かかるタッチ操作が解除されてから所定期間Ｗが経過するまでは検出信号のパルス数を増やしたまま維持する制御を行う。
【００６９】
例えば、ユーザが、時刻ｔ３において、操作受付部２１の操作面から指を離したとする。このとき、まず、検出部２２は、時刻ｔ３以降の最初に出力される１０回の検出信号の電圧値が所定値以上低下していないことを読み取ることで、時刻ｔ４においてタッチ操作を解除する。
【００７０】
そして、信号制御部２３は、タッチ操作が解除された時刻ｔ４から所定期間Ｗの間は、出力する検出信号のパルス数を増やしたまま、つまり１０パルスのままを維持するように検出部２２に指示する。なお、所定期間Ｗは、例えば数秒であることが好ましい。
【００７１】
また、信号制御部２３は、所定期間Ｗ内において、検出部２２によってタッチ操作が再検出されたか否かを判定する。つまり、信号制御部２３は、検出部２２がタッチ操作を瞬間的に２回行うダブルタップ操作を検出したか否かを判定する。
【００７２】
例えば、図４に示すように、信号制御部２３は、所定期間Ｗ内にタッチ操作が再検出されなかった場合、所定期間Ｗが経過した時刻ｔ５以降に出力される検出信号のパルス数をタッチ操作が検出される以前のパルス数に戻すよう検出部２２に指示する。
【００７３】
一方、信号制御部２３は、所定期間Ｗ内にタッチ操作が再検出された場合、所定期間Ｗが経過した時刻ｔ５以降も出力する検出信号のパルス数を増やした状態を維持するように検出部２２に指示する。
【００７４】
これにより、ダブルタップ操作時において、１回目と２回目とのタッチ操作間に発生するノイズをタッチ操作として検出しないようにできるため、ダブルタップ操作時の誤検出を防止することができる。
【００７５】
なお、所定期間Ｗは、時間（例えば数秒）に限定されるものではなく、例えば、検出信号の回数としてもよい。例えば、所定期間Ｗは、タッチ操作が解除されてから（時刻ｔ４）、一定周期Ｔで検出信号が所定回数出力されるまでの期間であってもよい。
【００７６】
次に、図５を用いて、実施形態に係る入力装置１が実行する検出処理の処理手順について説明する。図５は、実施形態に係る入力装置１が実行する検出処理の処理手順を示すフローチャートである。
【００７７】
図５に示すように、まず、検出部２２は、操作受付部２１が備える第１電極に対して所定のパルス数の検出信号を一定周期Ｔで出力する（ステップＳ１０１）。つづいて、検出部２２は、出力された検出信号の電圧の変化を読み取ることで、操作受付部２１が有する操作面に対するタッチ操作を検出したか否かを判定する（ステップＳ１０２）。
【００７８】
この判定処理において、信号制御部２３は、検出部２２によってタッチ操作が検出された場合（ステップＳ１０２，Ｙｅｓ）、検出されたタッチ操作以降に出力される検出信号のパルス数を増加する指示を検出部２２に行う（ステップＳ１０３）。
【００７９】
つづいて、検出部２２は、タッチ期間中に出力された検出信号の電圧の変化を読み取ることで、タッチ操作の解除を検出したか否かを判定する（ステップＳ１０４）。この判定処理において、検出部２２は、タッチ操作の解除を検出したと判定した場合（ステップＳ１０４，Ｙｅｓ）、タッチ操作の解除後の所定期間Ｗ内にタッチ操作を再検出したか否かを判定する（ステップＳ１０５）。
【００８０】
この判定処理において、信号制御部２３は、検出部２２によって所定期間Ｗ内にタッチ操作が再度検出された場合（ステップＳ１０５，Ｙｅｓ）、処理をステップＳ１０４に移行することで、検出信号のパルス数を増やしたままを維持する。
【００８１】
一方、ステップＳ１０２において、検出部２２は、タッチ操作を検出しなかった場合（ステップＳ１０２，Ｎｏ）、検出信号のパルス数を維持する、つまり、検出信号のパルス数を増加させずに（ステップＳ１０６）、処理を終了する。
【００８２】
また、ステップＳ１０４において、信号制御部２３は、検出部２２がタッチ操作の解除を検出していないと判定した場合（ステップＳ１０４，Ｎｏ）、つまりスワイプ操作等のタッチ操作が継続して行われている場合、処理をステップＳ１０３へ移行させる。
【００８３】
また、判定処理ステップＳ１０５において、信号制御部２３は、検出部２２によって所定期間Ｗ内にタッチ操作が再度検出されなかった場合（ステップＳ１０５，Ｎｏ）、所定期間Ｗ後に検出信号のパルス数を元に戻し（ステップＳ１０７）、処理を終了する。
【００８４】
上述してきたように、実施形態に係る入力装置１は、操作受付部２１と、検出部２２と、信号制御部２３とを備える。操作受付部２１は、操作面を有し、操作面に対するタッチ操作を受け付ける。検出部２２は、操作受付部２１に対して所定のパルス数を有する検出信号を一定周期Ｔで出力し、出力した検出信号の変化を読み取ることでタッチ操作を検出する。信号制御部２３は、検出部２２によってタッチ操作が検出された場合に、検出されたタッチ操作以降に出力される検出信号のパルス数を増やす制御を行う。これにより、発生するノイズをタッチ操作として検出しないため、タッチ操作時の誤検出を防止することができる。
【００８５】
なお、上述した実施形態では、信号制御部２３は、第１パラメータおよび第２パラメータをユーザの手動操作で切り替えたが、自動で切り替えるようにしてもよい。かかる点について、図６を用いて説明する。
【００８６】
図６は、実施形態の変形例に係るナビゲーション装置１０の構成を示すブロック図である。なお、以下に示す変形例では、上記した実施形態との相違点に焦点をおいて説明するとともに、同一の構成要素については同一の符号を付すことでその説明を省略する。
【００８７】
図６に示すように、実施形態の変形例に係る入力装置１は、ノイズ検出部２４を備える。ノイズ検出部２４は、タッチ操作中に発生するノイズ（電源ノイズ）を検出する。具体的には、ノイズ検出部２４は、ノイズの強度を検出する。ノイズの強度とは、ノイズ量の多さを示す度合であり、例えばノイズ１回あたりの継続時間で表される。
【００８８】
具体的には、ノイズ検出部２４は、検出したノイズの強度に基づいてノイズの継続時間が検出信号の何パルス分に相当するかを算出し、検出信号１回あたりのパルス数を超えるか否かを判定する。ノイズ検出部２４は、ノイズの継続時間が検出信号のパルス数を超えると判定した場合、ノイズを検出する。
【００８９】
一方、ノイズ検出部２４は、ノイズの検出時間が検出信号のパルス数を超えない場合、ノイズを検出しない。これにより、ノイズ検出部２４は、タッチ操作として誤検出するノイズのみを検出することができる。
【００９０】
そして、信号制御部２３は、ノイズ検出部２４によってノイズが検出された場合に、第１パラメータに基づいて検出信号のパルス数を制御する。また、信号制御部２３は、ノイズ検出部２４によってノイズが検出されない場合に、第２パラメータに基づいて検出信号のパルス数を制御する。
【００９１】
これにより、信号制御部２３は、ノイズが発生する場合のみ検出信号のパルス数を増やす制御を自動で行うことができる。なお、信号制御部２３は、ノイズ検出部２４が検出したノイズの強度に基づいて検出信号のパルス数を変動させてもよいが、かかる点については、図８を用いて後述する。
【００９２】
次に、図７を用いて、実施形態の変形例に係る入力装置１が実行する切替処理の処理手順について説明する。図７は、実施形態に係る入力装置１が実行する切替処理の処理手順を示すフローチャートである。
【００９３】
図７に示すように、ノイズ検出部２４は、タッチ操作中に発生するノイズである電源ノイズを検出したか否かを判定する（ステップＳ２０１）。この判定処理において、ノイズ検出部２４は、ノイズを検出した場合（ステップＳ２０１，Ｙｅｓ）、第１パラメータに基づいて検出信号のパルス数を制御し（ステップＳ２０２）、処理を終了する。
【００９４】
一方、ノイズ検出部２４は、ノイズを検出しなかった場合（ステップＳ２０１，Ｎｏ）、第２パラメータに基づいて検出信号のパルス数を制御し（ステップＳ２０３）、処理を終了する。
【００９５】
なお、パラメータ情報３１は、第１パラメータおよび第２パラメータの２つのパラメータが含まれる場合に限定されるものではなく、例えば検出されるノイズの強度に応じてパラメータを変動させてもよい。かかる点について、図８を用いて説明する。
【００９６】
図８は、実施形態の変形例に係るパラメータ情報３１の説明図である。図８に示すように、実施形態の変形例に係るパラメータ情報３１は、パラメータＩＤ「１」（第１パラメータ）の中に、「低ノイズ」、「中ノイズ」および「高ノイズ」の３つのパラメータがさらに存在する。
【００９７】
３つのパラメータは、「タッチ」時のパルス数が異なる。例えば、「高ノイズ」は、検出信号のパルス数が「６０」に設定されている。「中ノイズ」は、検出信号のパルス数が「３０」に設定されている。「低ノイズ」は、検出信号のパルス数が「１０」に設定されている。
【００９８】
信号制御部２３は、ノイズ検出部２４によって検出されたノイズの強度に基づいて検出信号のパルス数を変動させる。具体的には、信号制御部２３は、上記の３つのパラメータのうち、検出されたノイズの強度に応じたパラメータを選択する。
【００９９】
例えば、信号制御部２３は、「タッチ」時において、検出されたノイズの強度が検出信号の５パルス以上、１０パルス未満であった場合、「低ノイズ」を選択する。また、信号制御部２３は、検出されたノイズの強度が検出信号の１０パルス以上、３０パルス未満であった場合、「中ノイズ」を選択する。また、信号制御部２３は、検出されたノイズの強度が検出信号の３０パルス以上、６０パルス未満であった場合、「高ノイズ」を選択する。
【０１００】
これにより、あらゆる強度のノイズが発生してもタッチ操作時の誤検出を防止できるとともに、ノイズの強度に近いパルス数の検出信号を出力するため、電力消費を抑えることができる。なお、図８では３つのパラメータのパルス数を固定値としたが、例えば検出されたノイズの強度に応じてパルス数を動的に変動させてもよい。
【０１０１】
また、上述した実施形態では、信号制御部２３は、タッチ操作が解除された後の所定期間Ｗ内において、検出信号のパルス数を増やしたまま変えないように維持したが、非タッチ期間より多ければ、検出信号のパルス数を変更してもよい。かかる点について、図９を用いて説明する。
【０１０２】
図９は、実施形態の変形例に係る信号制御部２３の処理内容を示す図である。信号制御部２３は、タッチ操作が解除されてから所定期間Ｗが経過するまでは、タッチ操作が検出される以前の検出信号のパルス数より増やしたままを維持する制御を行う。
【０１０３】
具体的には、図９に示すように、信号制御部２３は、時刻ｔ４においてタッチ操作が解除された場合に、所定期間Ｗ内における検出信号のパルス数を１０回から７回に減らす。つづいて、信号制御部２３は、所定期間Ｗを経過すると、検出信号のパルス数を７回から５回に戻す。
【０１０４】
つまり、信号制御部２３は、タッチ操作が解除された後、検出信号のパルス数を段階的に戻すようにする。これにより、所定期間Ｗ内において検出信号のパルス数を増やしたまま変えないように維持する場合と比べて、電力消費を抑えることができる。
【０１０５】
また、上述した実施形態では、信号制御部２３は、タッチ期間中に、一定周期Ｔ（例えば１０ｍｓｅｃ）を変更せずに、検出信号のパルス数のみを増やすこととしたが、例えば一定周期Ｔも併せて変更してもよい。
【０１０６】
具体的には、信号制御部２３は、検出部２２によってタッチ操作が検出された場合に、タッチ操作以降に出力される検出信号のパルス数を増やし、かつ、一定周期Ｔを短くする制御を行う。これにより、タッチ期間中の誤検出を防止でき、かつ、タッチ時の反応性を向上させることができる。
【０１０７】
なお、信号制御部２３は、一定周期Ｔを短くする制御に限定されず、一定周期Ｔを長くしてもよい。これにより、単位時間あたりに出力される検出信号の数を減らせるため、タッチ操作中の消費電力を抑えることができる。
【０１０８】
また、上述した実施形態では、入力装置１とナビゲーション装置１０とを一体的に構成した場合について説明したが、入力装置１とナビゲーション装置１０とが別体構成であってもよい。かかる点について、図１０を用いて説明する。
【０１０９】
図１０は、実施形態の変形例に係る表示システムＳを示す図である。図１０に示すように、表示システムＳは、入力装置１と、制御装置４０と、ディスプレイ５０とを備える。これら各装置は、有線または無線によるネットワークを介して接続される。
【０１１０】
制御装置４０は、入力装置１から出力される信号に基づいて電子機器を制御する。制御装置４０が制御する電子機器の機能として、例えば上記のナビゲーション装置１０の各種機能を制御する。すなわち、入力装置１と、ナビゲーション装置１０（制御装置４０）とは別体で構成される。
【０１１１】
また、制御装置４０は、エアコン６０やスピーカ７０等を制御する。例えば、制御装置４０がエアコン６０を制御する場合、ユーザのタッチ操作に基づいて風量や、風向き、温度等のパラメータを制御する。また、制御装置４０がスピーカ７０を制御する場合、ユーザのタッチ操作に基づいて経路案内時の音声やオーディオ、動画等の出力音量を設定する。
【０１１２】
なお、制御装置４０が制御する電子機器は、ナビゲーション装置１０、エアコン６０およびスピーカ７０に限定されるものではなく、例えば、車両のウインドウや、ドア等の開閉を行う電子機器であってもよい。
【０１１３】
ディスプレイ５０は、例えば液晶パネルであり、センターコンソール等の車両の搭乗者が視認可能な位置に設けられる。また、ディスプレイ５０は、入力装置１へのタッチ操作に応じた情報を表示する。
【０１１４】
例えば、ディスプレイ５０は、ナビゲーション機能における地図画像や、動画やテレビ等の映像、スピーカ７０から流れている楽曲等の情報を表示する。また、ディスプレイ５０は、エアコン６０やスピーカ７０のパラメータを設定する設定画面を表示することもできる。
【０１１５】
なお、ディスプレイ５０は、液晶パネルに限定されるものではなく、例えばフロントガラスに取り付けられるヘッドアップディスプレイであってもよい。
【０１１６】
このように、表示システムＳでは、入力装置１が、多様な電子機器の制御を統合して受け付けることで、例えば上記した電子機器を制御する物理的ボタンを省くことができるため、車室内における意匠性の向上およびユーザの操作性の向上を図ることができる。
【０１１７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１８】
１    入力装置
２    制御部
３    記憶部
１０    ナビゲーション装置
１１    ＡＶＮ部
２１    操作受付部
２２    検出部
２３    信号制御部
２４    ノイズ検出部
３１    パラメータ情報
４０    制御装置
５０    ディスプレイ
６０    エアコン
７０    スピーカ
１００    電源
Ｓ    表示システム
【図１】
2018063650.tif 000003
【図２】
2018063650.tif 000004
【図３】
2018063650.tif 000005
【図４】
2018063650.tif 000006
【図５】
2018063650.tif 000007
【図６】
2018063650.tif 000008
【図７】
2018063650.tif 000009
【図８】
2018063650.tif 000010
【図９】
2018063650.tif 000011
【図１０】
2018063650.tif 000012